(57)【特許請求の範囲】
【請求項１】
剣先を有し全回転する外釜と、
ボビンおよびボビンケースがセットされる内釜と、
前記外釜の表側に固定され該外釜に対して相対回転可能に前記内釜を保持する内釜押えと、を備え、前記外釜の裏側に針が降下する右回り全回転垂直釜において、
前記外釜の糸出入用切欠部を挟んで剣先と対向する針糸ループ形成範囲の外周縁が、レース部の維持に必要な部分を残して切除されたことを特徴とする右回り全回転垂直釜。
【請求項２】
剣先を有し全回転する外釜と、
ボビンおよびボビンケースがセットされる内釜と、
前記外釜の表側に固定され該外釜に対して相対回転可能に前記内釜を保持する内釜押えと、
外釜の裏側に所定の間隔をおいて固定される裏板と、を備え、前記外釜の裏側に針が降下する右回り全回転垂直釜において、
剣先が針糸ループを捕捉する直前の裏板における位置に針糸裏ループと接触する突出部が形成されたことを特徴とする右回り全回転垂直釜。
【発明の詳細な説明】
【０００１】
【産業上の利用分野】
この発明は、工業用ミシン、特に、千鳥ミシンに使用される右回り全回転垂直釜（以後、ＤＰタイプ釜という。回転方向は正面から見てのものである。）に関するものである。
【０００２】
【従来の技術】
ＤＰタイプ釜は、図１に示すように、右回りに全回転する外釜１と、非回転の内釜２と、外釜１に止めネジ５によって固定され、外釜１との間に内釜２を挟み込んで支持する内釜押え３と、ネジ６によって外釜１に固定された裏板４とよりなっている。この釜においては、図１（３）に示すように、針７が布８に刺さり、上方に抜ける間に形成される針糸ループ９を外釜１の剣先１ａが捕捉して一回りし、針糸ループ９が釜回りをくぐることにより、針糸が下糸と絡み合って縫い目が形成される。
【０００３】
この釜の裏板４としては、実公昭５８−２３３４４号公報に記載されているように、図４（１）に示すタイプと、図５（１）に示すように、前記タイプにおける針糸ループ９が接触する部分を切除したタイプとが知られている。
【０００４】
【発明が解決しようとする課題】
従来のＤＰタイプ釜は、薄く柔らかい布を縫製する場合に針の上下動による布の上下動を補正する必要上、釜の取付け位相を調整して針７に対する剣先１ａの出合いのタイミングを遅くし、針糸ループ９を大きくしている。その場合、図２（１）（２）に示すように、針糸ループ９は、外釜の糸出入用切欠部１ｅを挟んで剣先１ａと対向する部分１ｂの裏面に接触し、図２（３）（４）に示すように、針７を中心にしてよじれるように倒れる。こうして剣先１ａが捕捉する側の表ループ９ａが倒れるので、剣先１ａはそのループ９ａを捕捉することができず、目飛びや糸切れが発生し、問題となっている。なお、図２（２）中のイ、ロは、それぞれ外釜１の回転方向、針穴の釜に対する軌跡である。
【０００５】
裏板４に関しては、図４（１）に示すタイプは、図４（２）（３）（４）に示すように、裏ループ９ｂが大きくなり過ぎると裏板４との接触による倒れがひどくなり、それに伴って表ループ９ａも剣先１ａ側に倒れ、剣先１ａはそのループ９ａを捕捉することができず、目飛び等の原因となる。また、図５（１）に示すタイプは、図５（２）（３）（４）に示すように、裏ループ９ｂが裏板４と接触しないので倒れにくいが、撚戻りの強い糸を使用する場合には、図５（２）に点線で示し、且つ、図５（５）（６）に示すように、表ループ９ａが剣先１ａから遠ざかる方向に倒れることがあり、この場合も目飛び等の原因となる。
【０００６】
この発明は、右回り全回転垂直釜において、針糸ループを大きく形成する場合や、撚戻りの強い糸を使用する場合にも、目飛びや糸切れが発生しないようにすることを目的としている。
【０００７】
【課題を解決するための手段】
上記目的を達成するために、この発明の右回り全回転垂直釜は、外釜における糸出入用切欠部を挟んだ剣先と対向する部分の針糸ループ形成範囲の外周縁がレース部の維持に必要な部分を残して切除されたものであり、更に、外釜の剣先が針糸ループを捕捉する直前の裏板における位置に針糸裏ループと接触する突出部が形成されたものである。
【０００８】
【作用】
上記のように構成された右回り全回転垂直釜においては、上記外釜を使用することにより、針糸ループが大きい場合でも、針糸ループと外釜の縁が接触しないので、針糸ループは何ら邪魔されずに形成される。また、上記裏板を使用することにより、剣先が針糸ループを捕捉する直前に裏ループが突出部に接触して釜の回転方向に倒され、それにつれて表ループが剣先側に倒れ、剣先による表ループの捕捉が助長される。
【０００９】
【実施例】
図３及び図６〜図１０を参照し、この発明の右回り全回転垂直釜の実施例について説明する。
【００１０】
この右回り全回転垂直釜は、従来の右回り全回転垂直釜と基本的には変わらず、右回りに全回転する外釜１と、非回転の内釜２と、外釜１との間に内釜２を挟み込むように外釜１に固定された内釜押え３と、外釜１に固定された裏板４とより構成されている。
【００１１】
外釜１は、図３に示すように、糸出入用切欠部１ｅを挟んで剣先１ａと対向する部分１ｂを、内釜のはめ込まれるレース部１ｃを維持するのに必要な肉厚を残したライン１ｄに沿って切除したものである。この斜線で示した切除部は、従来、大きく形成した場合の針糸ループ９が接触する部分である。
【００１２】
この剣先１ａから切除部終端までの角度θは、４０〜９０°である。これは、針糸表ループ９ａが外釜の縁と接触し得る範囲である。
【００１３】
このような切除部を有する外釜１を使用すると、針７に対する剣先１ａの出合いタイミングを遅くして針糸ループ９を大きくした場合でも、図３（３）（４）に示すように針糸ループ９と外釜１の縁が接触しないので、針糸ループ９は何ら邪魔されずにふくらむことができる。
【００１４】
また、このような外釜１を使用して千鳥縫いを行う場合は、針は７ａから７ｂのように振れるが、前述のように、針糸ループ９を大きくすることが可能となるので、最大針振幅を従来より広く設定することができる。
【００１５】
裏板４は、剣先１ａ位置を中心とする部分が外釜１と所定の間隔を形成するように固定されており（図１（１）参照）、図６に示すように、針７が剣先１ａ側にいかないようにする針受け４ａを有しており、且つ、剣先１ａが針糸ループ９を捕捉したときにその糸が釜の裏面側に逃げないようにする上糸押えの役目を担っている。
【００１６】
この実施例で採用する裏板４は、針受け４ａのある位置の外周縁（針糸ループ接触部分）を切除した図５（１）に示すタイプである。更にこの裏板４には、図６及び図７に示すように、剣先１ａが針糸ループを捕捉する直前に針糸裏ループ９ｂに接触する突出部４ｂが形成されている。
【００１７】
このような突出部４ｂを有する裏板４を使用すると、図７に示すように、裏ループ９ｂは突出部４ｂと接触するまでは何ら邪魔されずにふくらむが、剣先１ａが針糸ループ９を捕捉する直前に裏ループ９ｂは突出部４ｂに接触して釜回転方向に倒される。それにつれて、表ループ９ａが剣先１ａ側に倒れる。このように針糸ループ９を捕捉する直前位置にある剣先１ａ側に表ループ９ａが倒れこむので、剣先１ａによる表ループ９ａの捕捉が助長される。これは、表ループ９ａが剣先１ａから遠ざかる方向に倒れる傾向のある撚戻りの強い糸を使用する場合でも同様である。
【００１８】
ちなみに、図４に示すタイプにおいては、裏ループ９ｂが形成過程のどの段階で裏板４に接触するのか定かでなく、しかも裏板４との接触時間も長いので、表ループ９ａの倒れ方がひどくなり、剣先１ａがループ捕捉位置にきたときには既にループを捕捉し得る状態ではなくなっている。一方、この発明においては、表ループ９ａが一定のタイミングで、即ち、剣先１ａが針糸ループ９を捕捉する直前に剣先１ａに近付く方向に倒れ、表ループ９ａと剣先１ａが互いに接近するので、表ループ９ａの倒れる量は安定しており、目飛びは発生しない。
【００１９】
なお、突出部４ｂは、図８に示すように、剣先１ａ側に少しせり出させると、裏ループ９ｂとの接触が更に確実になり、より大きな効果を得ることができる。
【００２０】
また、前述した図４（１）に示すタイプの裏板４においても、図９に示すように、針受け４ａのある位置の外周部を針８から離れるように裏側に曲げて裏ループ９ｂとの接触を防ぐようにし、且つ、その上縁前部から針８方向に向けて突出部４ｂを形成すれば、同様の効果を得ることができる。
【００２１】
いずれの場合も、突出部４ｂを裏板４に一体に形成する代わりに、図１０に示すように、突出部４ｂに相当する突出部７ａを設けた別部品７を裏板４に固定することもできる。その場合ももちろん同様の効果を得ることができる。
【００２２】
【発明の効果】
この発明は、以上説明したように構成されているので、以下に記載するような効果を奏する。
【００２３】
即ち、外周縁を切除した外釜を使用する場合は、針糸ループを大きく設定しても外釜の外周縁の接触による針糸ループの倒れが発生しないので、目飛びや糸切れが発生しない。また、その釜を千鳥ミシンに使用するときは、最大針振幅を従来よりも広く設定することができる。
【００２４】
突出部を形成した裏板を使用する場合は、表ループが大きさに無関係に、剣先が捕捉する直前に剣先側に接近するので、使用糸が撚戻りの強い糸であっても、表ループが安定し、目飛びや糸切れが発生しない。また、突出部を剣先方向に伸ばした場合には、針上昇時の針受けとしての働きも兼ね備えている。
【図面の簡単な説明】
【図１】従来のＤＰ釜の図であり、（１）は側面図、（２）は正面図、（３）は外釜単体の裏面図である。
【図２】従来のＤＰ釜の外釜の作用を説明する図であり、（１）は側面図、（２）は裏面図、（３）は斜視図、（４）は平面図である。
【図３】こ発明のＤＰ釜の図であり、（１）は外釜の正面図、（２）は外釜の切除位置を示す断面図、（３）は側面図、（４）は裏面図である。
【図４】針糸ループ接触部を有する裏板を備えた従来のＤＰ釜に関する図であり、（１）は裏板の裏面図、（２）は釜の斜視図、（３）は針糸裏ループと裏板との接触状態を示す側面図、（４）は同平面図である。
【図５】針糸ループ接触部を切除した裏板を備えた従来のＤＰ釜の外釜に関する図であり、（１）は裏板の裏面図、（２）は釜の斜視図、（３）は通常糸を用いる場合の針糸裏ループと裏板との関係を示す側面図、（４）は同平面図、（５）は撚戻りの強い糸を用いる場合の針糸裏ループと裏板との関係を示す側面図、（６）は同平面図である。
【図６】この発明のＤＰ釜における裏板の図であり、（１）は側面図、（２）は裏面図、（３）は斜視図である。
【図７】この発明のＤＰ釜における裏板の作用順序を説明する図であり（１）は斜視図、（２）は平面図である。
【図８】この発明のＤＰ釜における他の裏板の図であり、（１）は側面図、（２）は裏面図、（３）は平面図である。
【図９】この発明のＤＰ釜における更に異なる裏板の図であり、（１）は側面図、（２）は裏面図、（３）は平面図である。図である。
【図１０】この発明のＤＰ釜における別の裏板の図であり、（１）は側面図、（２）は裏面図である。
【符号の説明】
１    外釜
１ａ  剣先
１ｂ  剣先と対向する部分
１ｃ  レース部
４    裏板
４ａ  針受け
４ｂ  突出部
７    針
９    針糸ループ
９ａ  針糸表ループ
９ｂ  針糸裏ループ
【図１】
0003960563.tif 000002
【図２】
0003960563.tif 000003
【図３】
0003960563.tif 000004
【図４】
0003960563.tif 000005
【図５】
0003960563.tif 000006
【図６】
0003960563.tif 000007
【図７】
0003960563.tif 000008
【図８】
0003960563.tif 000009
【図９】
0003960563.tif 000010
【図１０】
0003960563.tif 000011